(57)【要約】  本発明は、ＳＯＥＣ／ＳＯＦＣ型固体酸化物スタックの入口のガス（ＧＳ）を過熱するためのシステム（４０）に関し、それが、中心平面（Ｍ）によって分離された第１のゾーン（Ｚ１）および第２のゾーン（Ｚ２）を含む本体（４１）と、流入導管（４２）および流出導管（４３）とを含むことを特徴とする。前記ゾーンは、螺旋の形態で延在しかつ本体（４１）の貫通路（４４）の手段によって連通するガス循環流路（Ｃ１、Ｃ２）を含む。流入導管（４２）に入る加熱されるべきガス流（ＧＥ）は、第１のガス循環流路（Ｃ１）を循環し、貫通路（４４）を通って、それから第２のガス循環流路（Ｃ２）および再加熱されたガス（ＧＳ）の流出導管（４３）を循環して、ＳＯＥＣ／ＳＯＦＣ型固体酸化物スタックの入口に達する。
2020515710.tif 000002
【特許請求の範囲】
【請求項１】
ＳＯＥＣ／ＳＯＦＣスタック（２０）入口ガス（ＯＧ）過熱システム（４０）であって、
−加熱されるべきガス（ＩＧ）の入口のための下側ゾーンと呼ばれる第１のゾーン（Ｚ１）と加熱されたガス（ＯＧ）の出口のための上側ゾーンと呼ばれる第２のゾーン（Ｚ２）とを含み、前記第１のゾーン（Ｚ１）および第２のゾーン（Ｚ２）は前記本体（４１）の水平な中心平面（Ｍ）によって分離される、本体（４１）、
−前記本体（４１）の前記第１のゾーン（Ｚ１）と連通する前記加熱されるべきガス（ＩＧ）のための少なくとも１つの入口導管（４２）、
−前記本体（４１）の前記第２のゾーン（Ｚ２）と連通する前記加熱されたガス（ＯＧ）のための少なくとも１つの出口導管（４３）、
を含み、
前記本体（４１）の前記第１のゾーン（Ｚ１）および第２のゾーン（Ｚ２）はそれぞれ第１のガス循環流路（Ｃ１）および第２のガス循環流路（Ｃ２）を含み、前記第１のガス循環流路（Ｃ１）および前記第２のガス循環流路（Ｃ２）は、それぞれ第１の外側終端（Ｐ１）から第１の内側終端（Ｉ１）までおよび第２の外側終端（Ｐ２）から第２の内側終端（Ｉ２）まで螺旋の形態で延在し、
前記第１のゾーン（Ｚ１）および第２のゾーン（Ｚ２）の流体連通のために、前記第１の内側終端（Ｉ１）および第２の内側終端（Ｉ２）は、前記本体（４１）の前記中心平面（Ｍ）を貫いて形成された前記本体（４１）の貫通路（４４）によって互いに連通し、
前記少なくとも１つの入口導管（４２）および１つの出口導管（４３）はそれぞれ前記第１の外側終端（Ｐ１）および第２の外側終端（Ｐ２）と流体連通し、その結果、前記少なくとも１つの入口導管（４２）に入る加熱されるべきガス（ＩＧ）流が、前記第１の外側終端（Ｐ１）から前記第１の内側終端（Ｉ１）までの前記第１のガス循環流路（Ｃ１）に流入し、前記貫通路（４４）を通り、それから前記第２の内側終端（Ｉ２）から前記第２の外側終端（Ｐ２）までの前記第２のガス循環流路（Ｃ２）に、それから前記少なくとも１つの加熱されたガス（ＯＧ）出口導管（４３）に流入して、前記ＳＯＥＣ／ＳＯＦＣスタック（２０）の入口に達する、
ことを特徴とする、
ＳＯＥＣ／ＳＯＦＣスタック（２０）入口ガス（ＯＧ）過熱システム（４０）。
【請求項２】
前記本体（４１）の両側に延在してそれぞれ前記本体（４１）の前記第１のゾーン（Ｚ１）および第２のゾーン（Ｚ２）に蓋をする第１の閉じ板（４５）および第２の閉じ板（４６）を含み、前記第１のガス循環流路（Ｃ１）は前記中心平面（Ｍ）と前記第１の閉じ板（４５）との間に位置し、前記第２のガス循環流路（Ｃ２）は前記中心平面（Ｍ）と前記第２の閉じ板（４６）との間に位置することを特徴とする、
請求項１に記載のシステム。
【請求項３】
前記少なくとも１つの入口導管（４２）および１つの出口導管（４３）が、互いに対して上下になって、前記本体（４１）の前記中心平面（Ｍ）に対して実質的に垂直に延在し、前記本体（４１）の水平な中心壁（４７）によって互いから分離され、これに前記貫通路（４４）が形成されることを特徴とする、
請求項１または２に記載のシステム。
【請求項４】
前記本体（４１）が特に円形断面を有する円柱状の全般的形状を有し、前記第１のガス循環流路（Ｃ１）および第２のガス循環流路（Ｃ２）はとりわけ円形螺旋の形態でそれぞれが延在することを特徴とする、
請求項１〜３のいずれか１項に記載のシステム。
【請求項５】
前記本体（４１）が、前記第１のガス循環流路（Ｃ１）および前記第２のガス循環流路（Ｃ２）を含む主部分（６１）と、前記主部分（６２）から張り出した側方部分（６２）とを有し、この側方部分において、前記少なくとも１つの入口導管（４２）および１つの出口導管（４３）が前記本体（４１）に流体接続されることを特徴とする、
請求項１〜４のいずれか１項に記載のシステム。
【請求項６】
前記本体（４１）がニッケル基超合金、特にインコネル６００から作られることを特徴とする、
請求項１〜５のいずれか１項に記載のシステム。
【請求項７】
−少なくとも１つのＳＯＥＣ／ＳＯＦＣスタック（２０）入口ガス（ＯＧ）過熱システム（４０）、
−前記少なくとも１つのガス（ＯＧ）過熱システム（４０）と接触して設置された少なくとも１つの加熱要素（８０）、
を含むことを特徴とする、
接合体（７０）。
【請求項８】
前記少なくとも１つのガス（ＯＧ）過熱システム（４０）の両側に配された少なくとも２つの加熱要素（８０）を含むことを特徴とする、
請求項７に記載の接合体。
【請求項９】
互いと接触する少なくとも２つのガス（ＯＧ）過熱システム（４０）、および前記少なくとも２つのガス（ＯＧ）過熱システム（４０）をサンドイッチする少なくとも２つの加熱要素（８０）を含むことを特徴とする、
請求項７または８に記載の接合体。
【請求項１０】
少なくとも１つの加熱要素（８０）が、少なくとも１つのガス（ＯＧ）過熱システム（４０）のものに実質的に類似の全般的形状を有することを特徴とする、
請求項７〜９のいずれか１項に記載の接合体。
【請求項１１】
請求項７〜１０のいずれか１項に記載の接合体（７０）を含むことを特徴とする、
ＳＯＥＣ／ＳＯＦＣスタック（２０）。
【請求項１２】
前記本体（４１）を切削して前記第１のガス循環流路（Ｃ１）および前記第２のガス循環流路（Ｃ２）を形成するステップを含むことを特徴とする、
請求項１〜６のいずれか１項に記載の少なくとも１つのＳＯＥＣ／ＳＯＦＣスタック（２０）入口ガス（ＯＧ）過熱システム（４０）を製造するためのプロセス。
【請求項１３】
レーザー透過溶接プロセスによって第１の閉じ板（４５）および第２の閉じ板（４６）を前記本体（４１）の両側に取り付けて、それぞれ前記本体（４１）の前記第１のゾーン（Ｚ１）および前記第２のゾーン（Ｚ２）に蓋をするステップを含むことを特徴とする、
請求項１２に記載のプロセス。
【発明の詳細な説明】
【技術分野】
【０００１】
本発明は、高温電解（ＨＴＥ）の全般的な分野、特に高温水蒸気電解（ＨＴＳＥ）、二酸化炭素（ＣＯ２）電解、および高温水（ＨＴＥ）／二酸化炭素（ＣＯ２）共電解に関する。
【０００２】
より詳細には、本発明は慣習的に固体酸化物電解セル（ＳＯＥＣ）と言われる高温固体酸化物電解槽の分野に関する。
【０００３】
それは高温固体酸化物燃料セル（ＳＯＦＣ）の分野にもまた関する。
【０００４】
それゆえに、より一般的には、本発明は高温ＳＯＥＣ／ＳＯＦＣスタックの分野を対象とする。
【０００５】
より詳細には、本発明は、ＳＯＥＣ／ＳＯＦＣスタック入口ガス過熱システム、かかるガス過熱システムおよびそれと接触する少なくとも１つの加熱要素を含む接合体、かかる接合体を含むＳＯＥＣ／ＳＯＦＣスタック、ならびにかかるガス過熱システムを製造するためのプロセスに関する。
【背景技術】
【０００６】
ＳＯＥＣは、電流の手段によって同じ電気化学装置内において水蒸気（Ｈ２Ｏ）を水素（Ｈ２）および酸素（Ｏ２）に、ならびに／または二酸化炭素（ＣＯ２）を一酸化炭素（ＣＯ）および酸素（Ｏ２）に変換するために用いられる。ＳＯＦＣでは、動作は逆転させられて、水素（Ｈ２）および酸素（Ｏ２）、典型的には空気および天然ガス、つまりメタン（ＣＨ４）の供給によって電流および熱を生成する。単純にするために、次の記載は水電解のためのＳＯＥＣの動作に焦点をしぼる。しかしながら、この動作は二酸化炭素（ＣＯ２）電解および高温水（ＨＴＥ）／二酸化炭素（ＣＯ２）共電解に適用可能である。加えて、この動作はＳＯＦＣに移し替えられ得る。
【０００７】
有利には、水の電解は高温において、典型的には６００および１０００℃の間において行われる。なぜなら、液体の水よりも水蒸気を電解することが有利であるからであり、反応のために要求されるエネルギーの一部は、電気よりも高価でない熱によって提供され得るからである。
【０００８】
ＨＴＥでは、ＳＯＥＣは、互いの上にスタックされた３つの層、アノード／電解質／カソードからなる固体酸化物電解セルまたは電気化学セルとバイポーラプレートまたはインターコネクトともまた呼ばれる金属合金インターコネクトプレートとをそれぞれが含有する、繰り返し単位同士のスタックからなる。各電気化学セルは２つのインターコネクトプレート間にサンドイッチされる。それゆえに、ＳＯＥＣは電気化学セルとインターコネクトとの交互のスタックである。ＳＯＦＣは同じ型の繰り返し単位同士のスタックからなる。この高温テクノロジーは可逆的であるので、同じスタックが電解モードで動作し、水および電気から水素および酸素を生成し得、または燃料セルモードで動作し、水素および酸素から電気を生成し得る。
【０００９】
各電気化学セルは電解質／電極接合体に対応し、これは典型的には多層のセラミック接合体であり、その電解質は中心のイオン伝導性層によって形成され、この層は固体、高密度、かつ気密であり、電極を形成する２つの多孔質層間にサンドイッチされる。追加の層が存在し得るが、それらは既に記載された層の１つ以上を改善するためにのみ用いられるということに注意すべきである。
【００１０】
電気および流体インターコネクト装置は電子伝導体であり、これらは、電気的な観点からは、繰り返し単位同士のスタック中における各繰り返し単位電気化学セルの接続を保証し、１つの面と１つのセルのカソードとの間および別の面と次のセルのアノードとの間の電気的接触を請け合い、流体的な観点からは、セルのそれぞれの生成物を同様に組み合わせる。それゆえに、インターコネクトは電気供給および収集の機能を保証し、分配および／または収集のためのガス循環コンパートメントを画定する。
【００１１】
より詳細には、インターコネクトの主な機能は、各セルの近くの電流の通り、およびガスの循環（すなわち：ＨＴＥでは、注入される水蒸気、抜き出される水素および酸素；ＳＯＦＣでは、注入される水素および抜き出される水を包含する空気および燃料）をもまた保証すること、ならびにそれぞれセルのアノードおよびカソード側のガス循環コンパートメントである２つの隣接するセルのアノードおよびカソードコンパートメントを分離することである。
【００１２】
特に、ＳＯＥＣでは、カソードコンパートメントは電気化学反応の生成物の水素および水蒸気を含有し、一方では、アノードコンパートメントは、電気化学反応の別の生成物の酸素、および存在する場合にはキャリアガスを含有する。ＳＯＦＣでは、アノードコンパートメントは燃料を含有し、一方では、カソードコンパートメントは酸化剤を含有する。
【００１３】
ＨＴＥを達成するためには、水蒸気（Ｈ２Ｏ）がカソードコンパートメントに注入される。セルにかけられる電流の影響下において、水蒸気の形態の水分子の解離が水素電極（カソード）と電解質との間の界面において起こる：この解離は水素ガス（Ｈ２）および酸素イオン（Ｏ２−）を生成する。水素（Ｈ２）は収集され、水素コンパートメントから放出される。酸素イオン（Ｏ２−）は電解質中を移動し、電解質と酸素電極（アノード）との間の界面において酸素（Ｏ２）へと再結合する。空気などのキャリアガスがアノードにおいて循環し得、それゆえにアノードにおいてガス状形態で発生する酸素を収集し得る。
【００１４】
ＳＯＦＣを動作させるためには、空気（酸素）がセルのカソードコンパートメントに注入され、水素がアノードコンパートメントに注入される。空気中の酸素はＯ２−イオンへと解離するであろう。これらのイオンは電解質中をカソードからアノードに移動して、水素を酸化し、水を形成し、同時の電気生成を有するであろう。ＳＯＦＣでは、ＳＯＥＣのように、水蒸気が水素（Ｈ２）コンパートメントに位置する。極性のみが逆転させられる。
【００１５】
例示として、図１はＳＯＥＣの動作原理を示す概略的な像である。かかる電解槽の機能は、次の電気化学反応に従って水蒸気を水素および酸素に変換することである：
２Ｈ２Ｏ  →  ２Ｈ２  ＋  Ｏ２
【００１６】
この反応は電解槽のセルにおいて電気化学的に行われる。図１に示されているように、各繰り返し電解セル１は固体電解質３の両側に設置されたカソード２およびアノード４からなる。２つの電極（カソードおよびアノード）２および４は多孔質材料から作られた電子および／またはイオン伝導体であり、電解質３は気密、電子絶縁性、かつイオン伝導性である。電解質３は特にアニオン伝導体、より詳細にはＯ２−イオンのアニオン伝導体であり得、それから、電解槽はプロトン（Ｈ＋）電解質と対比してアニオン電解槽と呼ばれる。
【００１７】
電気化学反応は電子伝導体のそれぞれとイオン伝導体との間の界面において起こる。
【００１８】
カソード２において、半反応は次の通りである：
２Ｈ２Ｏ  ＋  ４ｅ−  →  ２Ｈ２  ＋  ２Ｏ２−
【００１９】
アノード４において、半反応は次の通りである：
２Ｏ２−  →  Ｏ２  ＋  ４ｅ−
【００２０】
２つの電極２および４の間にサンドイッチされた電解質３は、Ｏ２−イオンがアノード４とカソード２との間に課された電位差によって作り出される電場の影響下において移動するところである。
【００２１】
図１の括弧内に示されているように、カソード入口においては水蒸気が水素Ｈ２によって付随され得、生成し回収される水素は出口において水蒸気によって付随され得る。類似に、点線によって示されているように、空気などのキャリアガスもまた入口において注入されて、生成した酸素を排気し得る。キャリアガスの注入は熱レギュレータとして作用する追加の機能を有する。
【００２２】
電解槽または電解反応器は、カソード２、電解質３、およびアノード４を有する上で記載されている繰り返しセルと、電気、流体、および熱分配機能を提供する２つのインターコネクトとからなる。
【００２３】
生成した水素および酸素の流量を増大させるためには、インターコネクトによって分離されたいくつかの繰り返し電解セルを互いの上にスタックすることが公知である。接合体は、電解槽（電解反応器）への電気およびガス供給を支持する２つの終端インターコネクトプレート間に配置される。
【００２４】
それゆえに、ＳＯＥＣは、少なくとも１つの、一般的には互いの上にスタックされた複数の電解セルを含み、各繰り返しセルは電解質、カソード、およびアノードから形成され、電解質はアノードとカソードとの間にサンドイッチされる。
【００２５】
先に言及されているように、一般的に、１つ以上の電極と電気的接触している流体および電気インターコネクト装置は、電流供給および収集機能を提供し、１つ以上のガス循環コンパートメントを画定する。
【００２６】
それゆえに、いわゆるカソードコンパートメントの機能は電流および水蒸気を分配することならびに接触するカソードにおいて水素を回収することである。
【００２７】
いわゆるアノードコンパートメントの機能は、電流を分配すること、ならびに任意にキャリアガスの手段によって、接触するアノードにおいて生成した酸素を回収することである。
【００２８】
図２は、従来技術に従うＳＯＥＣの繰り返し単位の分解図像を示している。この電解槽はインターコネクト５と交互にスタックされたＳＯＥＣ型の複数の繰り返し電解セルＣ１、Ｃ２を含む。各セルＣ１、Ｃ２はカソード２．１、２．２およびアノード（セルＣ２のアノード４．２のみが示されている）からなり、これらの間に電解質（セルＣ２の電解質３．２のみが示されている）が配される。
【００２９】
インターコネクト５はカソードコンパートメント５０およびアノードコンパートメント５１を分離する金属合金構成要素であり、それぞれ、インターコネクト５と隣接するカソード２．１との間およびインターコネクト５と隣接するアノード４．２との間の体積によって定められる。それはガスをもまたセルに分配する。水蒸気が各繰り返し単位のカソードコンパートメント５０に注入される。カソード２．１、２．２において生成する水素および残る水蒸気は、セルＣ１、Ｃ２の下流において、後者による水蒸気の解離後に、カソードコンパートメント５０において収集される。アノード４．２において生成する酸素は、セルＣ１、Ｃ２の下流において、後者による水蒸気の解離後に、アノードコンパートメント５１において収集される。インターコネクト５は、隣接する電極との直接的接触によって、セルＣ１およびＣ２間において、すなわちアノード４．２とカソード２．１との間において電流を運ぶ。
【００３０】
ＳＯＥＣの動作条件はＳＯＦＣのものに非常に類似であり、そこで、同じテクノロジー的な制約が当てはまる。
【００３１】
それゆえに、かかる高温ＳＯＥＣ／ＳＯＦＣスタックの適切な機能は、主に次の点が満たされることを要求する。
【００３２】
第１に、電気化学セルが短絡しないための２つの連続するインターコネクト間における電気絶縁、ならびにセルとインターコネクトとの間における良好な電気的接触および十分な接触表面をもまた有することが必要である。可能な最も低いオーム抵抗がセルとインターコネクトとの間には求められる。
【００３３】
加えて、アノードおよびカソードコンパートメント間に気密性を有することが必要である。さもなければ、生成したガスは再結合し、減少した効率と特にスタックを損傷するホットスポットの出現とをもたらすであろう。
【００３４】
最後に、入口および生成物の回収の両方においてガスの良好な分配を有することが不可欠である。さもなければ、効率の損失、種々の繰り返し単位間の圧力および温度の不均一性、ならびにさらには電気化学セルの許容不可能な劣化がある。
【００３５】
高温ＳＯＥＣまたはＳＯＦＣスタックに入るガスおよび出るガスは、図３に示されているものなどの炉内の適当な装置によって管理され得る。
【００３６】
それゆえに、炉１０は低温部品ＣＰおよび高温部品ＨＰを含み、後者は、ガス入口および出口ならびにＳＯＥＣまたはＳＯＦＣスタック２０を管理するための炉床１１、環状管１２を含む。
【００３７】
従来、ＳＯＥＣまたはＳＯＦＣスタックの入口ガスを過熱するための２つの主な技術がある。
【００３８】
第１に、図３の環状管１２によって概略的に示されているように、高温部品ＨＰの炉１０の抵抗加熱部と直角をなす巻回管の長さを用いることが可能である。これがシステムに提供される場合には、ガスは交換器の出口において約５００℃の温度まで先に加熱されているであろう。それから、このまたはこれらのガス過熱管１２は、スタック２０に導入される前に、炉１０およびスタック２０の抵抗の熱放射を用いることによって約３００℃という追加の増大を可能にする。
【００３９】
加えて、図４に示されているものなどの電気ヒーターにガスを通すこともまた公知である。かかる電気ヒーター３０は、スチールから作られた慣性質量体３１、慣性質量体３１に巻回された抵抗加熱部３２およびガス管３３を含む大きい接合体に似ている。図４は入口ガスＩＧおよび出口ガスＯＧをもまた示している。これらの電気ヒーター３０は、出口ガスＯＧがスタック２０に導入される前に、入口ガスＩＧを２０℃から約８００℃の温度に到達させることを担う。
【００４０】
上で言及されているこれらの２つの主な技術の適切な機能は、接合体の適切な機能を請け合うためにスタック２０の入口において非常に正確な温度を要求する。そのため、通常は第１の技術が好ましい。
【００４１】
全般的なルールとして、スタック２０の入口において正しい温度を得るために、かつ約１０ｍｍという管１２の内側直径では、５および１５Ｎｍ３／ｓの間の流量による入口ガス、典型的にはＨ２ＯおよびＮ２Ｏ２のラインあたり、約３ｍという展開長さを有することが必要である。約３ｍというこの長さは約３００℃の増大を可能にし、ＳＯＥＣまたはＳＯＦＣスタックモードにおいて等しく良好に機能し、スタック入口における正しい温度を保証する。
【００４２】
しかしながら、ガスを交換器に通した後で炉の抵抗の放射を回収してガスをスタック入口における正しい温度まで上げるこの第１の技術は、そのため、長さが約３ｍの巻回を要求し、これは管が狭い空間内で正しい場所に達するということを保証するために曲げ部に複雑さを加えるという欠点を有し、かつこれは炉のサイズをかなり増大させる。そのため、実装は複雑である。なぜなら、それは正確であることが必要であるからであり、管は、典型的には３１６Ｌステンレス鋼またはインコネル６００の直径が１０／１２であり、非常に硬いからである。加えて、ガス過熱環状体を作ることは沢山の空間をつぶし、必然的に電源、熱電対の通り道、および電解槽出口管と干渉する。これは、多くの場合に炉内の空間の不足が原因でこれらのラインを短くすることに至る。加えて、これらの環状体の接続を分解することは破壊的であるので、新たなスタックが加えられる度に同じ曲げ作業が再度なされなければならない。
【００４３】
その上、３１６Ｌステンレス鋼が用いられるときには、酸化による汚染を避けるために、アルミナ成膜によるこれらのガスラインの長くて高価な処理をすることが必要である。これらの粒子（クロム、バナジウムなど）はこのセル上に固着して来得、それゆえにＳＯＥＣ／ＳＯＦＣスタックの性能を減じ得る。
【００４４】
さらにその上、第２の技術はガス入口あたり過熱器３０を要求する。しかしながら、ますますコンパクトなシステムに向かって行くトレンドがあるのに、これらは沢山の空間をつぶす大きいユニットである。そのため、ガス入口があるのと同じだけ多くの電気過熱器があり、これは周辺要素を炉に一体化するときに深刻な問題を呈する。そのため、加熱アーム部によるラインのトレーシングを避けるために、この電気ヒーター３０のガス出口をスタック入口に可能な限り近く設置する必要がある。
【発明の概要】
【発明が解決しようとする課題】
【００４５】
本発明の狙いは、上で言及されている必要および従来技術の達成に関する欠点に少なくとも部分的に対処することである。
【００４６】
特に、それは、ＳＯＥＣまたはＳＯＦＣスタック入口ガス過熱システムの特定の設計の実現を、より具体的には、高温部品において、すなわち炉の筐体内において、かつガス入口および出口と直角をなして、コンパクトな取り外し可能で再利用可能な過熱システムを実現し、それゆえにスタックに「プラグ＆プレイ」（ＰｎＰ）の性質を与えることを目的とする。
【課題を解決するための手段】
【００４７】
そのため、本発明の目的は、その態様の１つに従うと、ＳＯＥＣ／ＳＯＦＣスタック入口ガス過熱システムであり、それが：
−加熱されるべきガスの入口のための下側ゾーンと呼ばれる第１のゾーンと、加熱されたガスの出口のための上側ゾーンと呼ばれる第２のゾーンとを含む本体（第１および第２のゾーンは本体の水平な中心平面によって分離される）、
−本体の第１のゾーンと連通する加熱されるべきガスのための少なくとも１つの入口導管、
−本体の第２のゾーンと連通する加熱されたガスのための少なくとも１つの出口導管、
を含み、
本体の第１および第２のゾーンは、それぞれ第１のガス循環流路および第２のガス循環流路を含み、第１のガス循環流路および第２のガス循環流路は、それぞれ第１の外側終端から第１の内側終端までおよび第２の外側終端から第２の内側終端まで螺旋の形態で延在し、
第１および第２の内側終端は、第１および第２のゾーンの流体連通のために、本体の中心平面を貫いて形成された本体の貫通路によって互いに連通し、
少なくとも１つの入口導管および１つの出口導管はそれぞれ第１および第２の外側終端と流体連通し、その結果、少なくとも１つの入口導管に入る加熱されるべきガス流が、第１の外側終端から第１の内側終端までの第１のガス循環流路に流入し、貫通路を通って、それから第２の内側終端から第２の外側終端までの第２のガス循環流路に、それから少なくとも１つの加熱されたガス出口導管に流入して、ＳＯＥＣ／ＳＯＦＣスタックの入口に達する、
ことを特徴とする。
【００４８】
本発明の長所によって、ガスラインあたりの炉筐体の曲げ管の３．６メートル近くと比較して革新的でコンパクトな幾何形状の手段によって、第１のガス過熱技術とのつながりで先に記載されているように、実装されるべき複雑な管巻回を避けることが可能である。これは空間要件についてかなりの節約をもたらす。
【００４９】
その上、本発明に従う過熱システムはスタックの一部であり得るので、各新たなスタックについて管巻回をやり直すことを避けることが可能である。一方、従来技術の第１の技術に従う管の環状体システムは回収可能ではない。
【００５０】
加えて、ガスがスタックに入る温度を正確に知るために、本発明に従う過熱システムの出口に熱電対を置くことは容易であり得る。一方、従来技術に従う管では、それは空間の不足および巻回の曲線的な幾何形状が原因でより複雑である。
【００５１】
加えて、本発明に従う過熱システム内のガス経路は螺旋の幾何形状によって容易化され、入口ガス流の良好な連続性を可能にし、一方では圧力降下を限定する。
【００５２】
加えて、クロムおよび他の元素の蒸発による汚染を避けるためのアルミナ成膜によるいずれかの処理は、過熱システム内に１回要求されるのみである。
【００５３】
さらに、本発明に従う過熱システムは、個々に、またはいずれかの可能な技術的組み合わせで採用される次の特徴の１つ以上を含み得る。
【００５４】
有利には、過熱システムは炉上に設置されたＳＯＥＣ／ＳＯＦＣスタックの入口にあり、過熱システムは高温部品に、すなわち炉筐体内に配置される。
【００５５】
有利な様式では、本体の第１および第２のゾーン間の流体連通は本体の貫通路によってのみ可能にされる。特に、入口および出口導管は互いと流体連通せず、その結果、入口導管からの入口ガスは、加熱された出口ガスが出る出口導管に合流する前に必ず第１および第２のガス循環流路に流入する。
【００５６】
過熱システムは第１の閉じ板および第２の閉じ板を含み得、本体の両側に延在してそれぞれ本体の第１および第２のゾーンに蓋をし、第１のガス循環流路は中心平面と第１の閉じ板との間に位置し、第２のガス循環流路は中心平面と第２の閉じ板との間に位置する。
【００５７】
加えて、少なくとも１つの入口導管および１つの出口導管は、互いに対して上下になって、本体の中心平面に対して実質的に垂直に延在し得、本体の水平な中心壁によって互いから分離され得、これに貫通路が形成される。
【００５８】
さらにその上、有利には、本体は特に円形断面を有する円柱状の全般的形状を有し得、第１および第２のガス循環流路はとりわけ円形螺旋の形態でそれぞれが延在する。
【００５９】
しかしながら、代替的に、本体はいずれかの他の型の断面形状、例えば多角形形状、例えば正方形または長方形形状を有し得る。類似に、第１および第２のガス循環流路の螺旋形状は円形形状に限定されない。例えば、それは多角形螺旋、例えば正方形または長方形螺旋に対応し得る。そのため、用語「螺旋」は円形螺旋形状に限定されない。一般的に、用語「螺旋」は、流路が外側のある点から出発し、内側のある点まで、連続する旋回によって螺旋の様式でこの内側の点の周りにかつこの内側の点に向かって延在するということを意味する。
【００６０】
しかしながら、多角形の幾何形状、特に正方形または長方形幾何形状は乱流を発生し得、これは確かにより良好な熱交換を可能にするが、壁の影響が原因で圧力損失をもまた増大させるということに注意すべきである。
【００６１】
本体ならびに第１および第２のガス循環流路の螺旋の全般的形状は必ずしも同一ではないということにもまた注意すべきである。例えば、本体は多角形断面を有する円柱状の形状を有し得、ガス循環流路は円形螺旋形状を有し得る。
【００６２】
さらにその上、本体は、第１および第２のガス循環流路を包含する主部分と、主部分から張り出した側方部分とを含み得、この側方部分において、少なくとも１つの入口および出口導管が本体に流体接続される。
【００６３】
本体は例えばニッケル基超合金、特にインコネル６００から作られ得る。
【００６４】
本発明は、その態様の別のものに従うと、その目的として接合体をもまた有し、それが：
−少なくとも１つのＳＯＥＣ／ＳＯＦＣスタック入口ガス過熱システム、
−少なくとも１つのガス過熱システムと接触して設置された特に加熱プレートの形態の少なくとも１つの加熱要素、
を含むことを特徴とする。
【００６５】
特に、接合体は、少なくとも１つのガス過熱システムの両側に配された少なくとも２つの加熱要素を含み得る。
【００６６】
より具体的には、接合体は、互いと接触する少なくとも２つのガス過熱システム、および少なくとも２つのガス過熱システムをサンドイッチする少なくとも２つの加熱要素を含み得る。
【００６７】
加えて、少なくとも１つの加熱要素、特に全ての加熱要素は、少なくとも１つのガス過熱システム、特に全てのガス過熱システムのものに実質的に類似の全般的形状を有し得る。
【００６８】
加えて、本発明は、その態様の別のものに従うと、その目的としてＳＯＥＣ／ＳＯＦＣスタックを有し、それが上で定められている接合体を含むことを特徴とする。
【００６９】
その上、本発明は、その態様の別のものに従うと、その目的として、上で定められている少なくとも１つのＳＯＥＣ／ＳＯＦＣスタック入口ガス過熱システムを製造するためのプロセスをもまた有し、それが、本体を切削して第１のガス循環流路および第２のガス循環流路を形成するステップを含むことを特徴とする。
【００７０】
プロセスは、レーザー透過溶接プロセスによって第１の閉じ板および第２の閉じ板を本体の両側に取り付けて、それぞれ本体の第１および第２のゾーンに蓋をするステップをもまた含み得る。
【００７１】
本発明に従う過熱システム、接合体、ＳＯＥＣ／ＳＯＦＣスタック、および製造プロセスは、個々に、または他の特徴とのいずれかの技術的に可能な組み合わせで採用される本明細書に述べられている特徴のいずれかを含み得る。
【００７２】
本発明は、次の詳しい記載、その例示的な限定しない実装を読むこと、および添付の図面の概略的で部分的な図を検討することによってより良く理解され得る。
【図面の簡単な説明】
【００７３】
【図１】図１はＳＯＥＣの動作原理を示す概略的な像である。
【図２】図２は、従来技術に従うインターコネクトを含むＳＯＥＣの一部の概略的な分解図像である。
【図３】図３は炉の構造の原理を例示しており、その上に高温ＳＯＥＣまたはＳＯＦＣスタックが設置される。
【図４】図４は従来技術に従う電気ガスヒーターの原理を例示している。
【図５】図５は、透視画によって、ＳＯＥＣ／ＳＯＦＣスタックのための本発明に合致する例示的なガス過熱システムを示している。
【図６】図６は断面像に従って図５の過熱システムを示している。
【図７】図７は、透視画によって、ガス入口側の閉じ板の存在なしの図５の過熱システムを示している。
【図８】図８は、透視画によって、ガス出口側の閉じ板の存在なしの図５の過熱システムを示している。
【図９】図９は、図５の過熱システムの本体への閉じ板の固定のために辿るべき透過溶接軌道を例示している。
【図１０】図１０は、断面像に従って、図５に示されているものなどの複数の過熱システムの両側に加熱要素を含む例示的なＳＯＥＣ／ＳＯＦＣスタックを示している。
【図１１】図１１は、透視画によって、２つのガスラインのための、図５に示されているものなどの複数の過熱システムと接触する加熱要素を含む別の例示的なＳＯＥＣ／ＳＯＦＣスタックを例示している。
【発明を実施するための形態】
【００７４】
全てのこれらの図において、同一の参照記号は同一のまたは類似の要素を言い得る。
【００７５】
加えて、図を読むことをより容易にするために、図中に表現されている異なる部品同士は必ずしも一様な縮尺で表現されてはいない。
【００７６】
図１から４は、従来技術の項および本発明の技術的文脈においてすでに上で記載されている。図１および２では、符号、ならびに水蒸気Ｈ２Ｏの供給、水素Ｈ２、酸素Ｏ２、空気、および電流の分配および回収の矢印は、示されている装置の動作を例示するために明瞭性および正確の目的で示されているということが明記される。
【００７７】
加えて、所与の電気化学セルの全ての構成要素（アノード／電解質／カソード）は好ましくはセラミックであるということに注意すべきである。典型的には、高温ＳＯＥＣ／ＳＯＦＣスタックの動作温度もまた６００および１０００℃の間である。
【００７８】
さらにその上、用語「上側」および「下側」は、用いられる場合には、その使用の構成にあるときのＳＯＥＣ／ＳＯＦＣスタックの通常時の向きに従ってここでは理解されるべきである。
【００７９】
図５から１１は本発明に従う過熱システム４０の実現の原理を例示している。この過熱システム４０は、図３の参照によって先に記載されているように炉１０と結びつけられたＳＯＥＣ／ＳＯＦＣスタック２０の入口ガスを加熱する。
【００８０】
炉１０のゾーンにおける異なる熱伝達モードのうち、６５０および８００℃の間のこれらの温度レベルにおける優勢なモードは放射による放射交換に対応する。それから、別の伝達モードは熱伝導であり、これは本発明が実装するものである。なぜなら、それは外部へのより少ない熱損失を作り出すという利点を有するからである。これは、材料のはっきりした移動なしに、同じ媒体の２つの領域間または接触する２つの媒体間における温度差によって引き起こされる熱伝達のモードである。過熱システム４０のための下で記載されているような加熱プレートの使用は、熱伝導が回収されることとガスが正しい温度まで上げられることとを可能にする。
【００８１】
図１から８に示されているように、ＳＯＥＣ／ＳＯＦＣスタック２０に入るガスＯＧのための過熱システム４０は、第１に、中心ブロック４１の形態の本体４１を含む。
【００８２】
この中心ブロック４１はコンパクトなシステムを形成し、図５に示されているように、これはここでは約１４０ｍｍという直径Ｄおよび約２２ｍｍという高さＨを有する円形断面を有する円柱状形状である。
【００８３】
この中心ブロック４１は例えばニッケル基超合金、特にインコネル６００から作られる。
【００８４】
図６に示されているように、中心ブロック４１は、加熱されるべきガスＩＧの入口のための下側ゾーンと呼ばれる第１のゾーンＺ１と、加熱されたガスＯＧの出口のための上側ゾーンと呼ばれる第２のゾーンＺ２とを有する。
【００８５】
これらの下側ゾーンＺ１および上側ゾーンＺ２は中心ブロック４１の水平な中心平面Ｍによって分離される。
【００８６】
さらにその上、過熱システム４０は、中心ブロック４１の下側ゾーンＺ１と連通する加熱されるべきガスＩＧのための入口導管４２、および中心ブロック４１の上側ゾーンＺ２と連通する加熱されたガスＯＧのための出口導管４３をもまた含む。
【００８７】
図６に示されているように、これらの第１のゾーンＺ１および第２のゾーンＺ２はそれぞれ第１のガス循環流路Ｃ１および第２のガス循環流路Ｃ２を含む。
【００８８】
有利には、各ガス循環流路Ｃ１、Ｃ２は、ここでは円形の螺旋の形態で、それぞれ第１の外側終端Ｐ１から第１の内側終端Ｉ１までおよび第２の外側終端Ｐ２から第２の内側終端Ｉ２まで延在する。
【００８９】
これらの第１の内側終端Ｉ１および第２の内側終端Ｉ２は、第１のゾーンＺ１および第２のゾーンＺ２の流体連通のために中心平面Ｍを貫いて形成される中心ブロック４１の貫通路４４によって互いに連通する。
【００９０】
加えて、また図６に示されているように、入口導管４２および出口導管４３はそれぞれ第１の外側終端Ｐ１および第２の外側終端Ｐ２と流体連通する。
【００９１】
この様式では、図６、７、および８の矢印の進路によって例示されているように、入口導管４２に入る加熱されるべきガスＩＧ流は、第１の外側終端Ｐ１から第１の内側終端Ｉ１までの第１のガス循環流路Ｃ１に流入し、貫通路４４を横切り、それから第２の内側終端Ｉ２から第２の外側終端Ｐ２までの第２のガス循環流路Ｃ２に、それから加熱されたガスＯＧ出口導管４３に流入して、最後にＳＯＥＣ／ＳＯＦＣスタック２０の入口に達する。
【００９２】
加えて、図５および６に示されているように、過熱システム４０は中心ブロック４１の両側に延在する２つの閉じ板４５および４６を有する。より詳細には、第１のガス循環流路Ｃ１は中心平面Ｍと閉じ板４５との間に位置し、第２のガス循環流路Ｃ２は中心平面Ｍと閉じ板４６との間に位置する。
【００９３】
さらにその上、第１のガス循環流路Ｃ１および第２のガス循環流路Ｃ２は、切削によって、例えば数値制御ミリングマシンまたは螺旋を得るための他の適当な切削システムの手段によって形成される。この切削は、貫通路４４のレベルで中心ブロック４１の中心部に向かって収束する螺旋に沿って行われる。
【００９４】
図６に示されている切削深さｆは例えば約１０ｍｍであり、一方では、また図６に示されているように、切削幅Ｗは約３ｍｍである。有利には、切削断面は直径１０／１２のインコネル６００管の内側直径によってカバーされる断面と同等である。好ましくは、一般的に、形成される螺旋の断面はスタック２０にフィードするために要求されるガスの量に対応する。
【００９５】
加えて、図５から８に示されているように、入口導管４２および出口導管４３は、互いに対して上下になって、中心平面Ｍに対して垂直に延在し、中心ブロック４１の水平な中心壁４７によって互いから分離され、これに貫通路４４が形成されるということに注意すべきである。
【００９６】
さらにその上、中心ブロック４１は、第１のガス循環流路Ｃ１および第２のガス循環流路Ｃ２を含む主部分６１と主部分６２から張り出した側方部分６２とを有し、この側方部分において、入口導管４２および出口導管４３が中心ブロック４１に流体接続される。
【００９７】
熱交換器からの入口ガスＩＧは第１の流路Ｃ１の第１の螺旋に入り、約１．８ｍの全長に渡って貫通路４４まで中心ブロック４１の中心部に向かって収束する。そこから、ガスは貫通路４４によって中心平面Ｍを横切り、第２の流路Ｃ２の第２の螺旋によって逆の経路を辿って、同じく約１．８ｍの全長を移動する。
【００９８】
好ましくは、閉じ板４５および４６はレーザー透過溶接によって取り付けられる。レーザー溶接技術はレーザーテクノロジーの特徴による金属の溶接を可能にする：レーザー光線の高いエネルギー密度および細さによって、標的範囲は溶融し、それから冷却によって速やかに溶接される。これは小さい表面上の丈夫な溶接部をもたらす。
【００９９】
図９に示されているように、好ましくは、ガスが完全な経路を辿ることを強いるためにレーザー透過溶接は示されているような曲線Ｃを辿るべきである。
【０１００】
加えて、上で記載されている過熱システム４０を複数のガスラインのために倍増させることが可能である。それゆえに、図１０および１１は、加熱プレート８０の形態の加熱要素８０と結びつけられたスタック２０の入口ガスＯＧのための２つの過熱システム４０の接合体７０を含むＳＯＥＣ／ＳＯＦＣスタック２０の例を例示している。
【０１０１】
より詳細には、図１０において、２つの加熱プレート８０が２つの過熱システム４０の両側に位置し、その結果、それらは加熱プレート８０によってサンドイッチされる。過熱システム４０と接触するこれらの加熱プレート８０は、スタック２０に入る前にガスが熱対流によって加熱されることを可能にする。
【０１０２】
図１１において、接合体７０は、形状が中心ブロック４１に類似の加熱プレート８０を有する。
【０１０３】
当然のことながら、本発明は以上で記載された例示的な実施形態に限定されない。種々の改変が当業者によってされ得る。
【図１】
2020515710.tif 000003
【図２】
2020515710.tif 000004
【図３】
2020515710.tif 000005
【図４】
2020515710.tif 000006
【図５】
2020515710.tif 000007
【図６】
2020515710.tif 000008
【図７】
2020515710.tif 000009
【図８】
2020515710.tif 000010
【図９】
2020515710.tif 000011
【図１０】
2020515710.tif 000012
【図１１】
2020515710.tif 000013
【手続補正書】
【提出日】令和1年9月6日(2019.9.6)
【手続補正１】
【補正対象書類名】特許請求の範囲
【補正対象項目名】全文
【補正方法】変更
【補正の内容】
【特許請求の範囲】
【請求項１】
ＳＯＥＣ／ＳＯＦＣスタック（２０）であって、
接合体（７０）を備え、
前記接合体（７０）は、
−少なくとも一つのＳＯＥＣ／ＳＯＦＣスタック（２０）入口ガス（ＯＧ）過熱システム（４０）、
−前記少なくとも１つのガス（ＯＧ）入口ガス（ＯＧ）過熱システム（４０）と接触して設置された少なくとも１つの加熱要素（８０）、
を含み、
前記ＳＯＥＣ／ＳＯＦＣスタック（２０）入口ガス（ＯＧ）過熱システム（４０）は、
−加熱されるべきガス（ＩＧ）の入口のための下側ゾーンと呼ばれる第１のゾーン（Ｚ１）と加熱されたガス（ＯＧ）の出口のための上側ゾーンと呼ばれる第２のゾーン（Ｚ２）とを含み、前記第１のゾーン（Ｚ１）および第２のゾーン（Ｚ２）は前記本体（４１）の水平な中心平面（Ｍ）によって分離される、本体（４１）、
−前記本体（４１）の前記第１のゾーン（Ｚ１）と連通する前記加熱されるべきガス（ＩＧ）のための少なくとも１つの入口導管（４２）、
−前記本体（４１）の前記第２のゾーン（Ｚ２）と連通する前記加熱されたガス（ＯＧ）のための少なくとも１つの出口導管（４３）、
を含み、
前記本体（４１）の前記第１のゾーン（Ｚ１）および第２のゾーン（Ｚ２）はそれぞれ第１のガス循環流路（Ｃ１）および第２のガス循環流路（Ｃ２）を含み、前記第１のガス循環流路（Ｃ１）および前記第２のガス循環流路（Ｃ２）は、それぞれ第１の外側終端（Ｐ１）から第１の内側終端（Ｉ１）までおよび第２の外側終端（Ｐ２）から第２の内側終端（Ｉ２）まで螺旋の形態で延在し、
前記第１のゾーン（Ｚ１）および第２のゾーン（Ｚ２）の流体連通のために、前記第１の内側終端（Ｉ１）および第２の内側終端（Ｉ２）は、前記本体（４１）の前記中心平面（Ｍ）を貫いて形成された前記本体（４１）の貫通路（４４）によって互いに連通し、
前記少なくとも１つの入口導管（４２）および１つの出口導管（４３）はそれぞれ前記第１の外側終端（Ｐ１）および第２の外側終端（Ｐ２）と流体連通し、その結果、前記少なくとも１つの入口導管（４２）に入る加熱されるべきガス（ＩＧ）流が、前記第１の外側終端（Ｐ１）から前記第１の内側終端（Ｉ１）までの前記第１のガス循環流路（Ｃ１）に流入し、前記貫通路（４４）を通り、それから前記第２の内側終端（Ｉ２）から前記第２の外側終端（Ｐ２）までの前記第２のガス循環流路（Ｃ２）に、それから前記少なくとも１つの加熱されたガス（ＯＧ）出口導管（４３）に流入して、前記ＳＯＥＣ／ＳＯＦＣスタック（２０）の入口に達する、
ことを特徴とする、
ＳＯＥＣ／ＳＯＦＣスタック（２０）。
【請求項２】
過熱システム（４０）は、前記本体（４１）の両側に延在してそれぞれ前記本体（４１）の前記第１のゾーン（Ｚ１）および第２のゾーン（Ｚ２）に蓋をする第１の閉じ板（４５）および第２の閉じ板（４６）を含み、前記第１のガス循環流路（Ｃ１）は前記中心平面（Ｍ）と前記第１の閉じ板（４５）との間に位置し、前記第２のガス循環流路（Ｃ２）は前記中心平面（Ｍ）と前記第２の閉じ板（４６）との間に位置することを特徴とする、
請求項１に記載のスタック。
【請求項３】
前記少なくとも１つの入口導管（４２）および１つの出口導管（４３）が、互いに対して上下になって、前記本体（４１）の前記中心平面（Ｍ）に対して実質的に垂直に延在し、前記本体（４１）の水平な中心壁（４７）によって互いから分離され、これに前記貫通路（４４）が形成されることを特徴とする、
請求項１または２に記載のスタック。
【請求項４】
前記本体（４１）が特に円形断面を有する円柱状の全般的形状を有し、前記第１のガス循環流路（Ｃ１）および第２のガス循環流路（Ｃ２）はとりわけ円形螺旋の形態でそれぞれが延在することを特徴とする、
請求項１〜３のいずれか１項に記載のスタック。
【請求項５】
前記本体（４１）が、前記第１のガス循環流路（Ｃ１）および前記第２のガス循環流路（Ｃ２）を含む主部分（６１）と、前記主部分（６２）から張り出した側方部分（６２）とを有し、この側方部分において、前記少なくとも１つの入口導管（４２）および１つの出口導管（４３）が前記本体（４１）に流体接続されることを特徴とする、
請求項１〜４のいずれか１項に記載のスタック。
【請求項６】
前記本体（４１）がニッケル基超合金、特にインコネル６００から作られることを特徴とする、
請求項１〜５のいずれか１項に記載のスタック。
【請求項７】
前記接合体（７０）は、前記少なくとも１つのガス（ＯＧ）過熱システム（４０）の両側に配された少なくとも２つの加熱要素（８０）を含むことを特徴とする、
請求項１〜６のいずれか１項に記載のスタック。
【請求項８】
前記接合体（７０）は、互いと接触する少なくとも２つのガス（ＯＧ）過熱システム（４０）、および前記少なくとも２つのガス（ＯＧ）過熱システム（４０）をサンドイッチする少なくとも２つの加熱要素（８０）を含むことを特徴とする、
請求項１〜７のいずれか１項に記載のスタック。
【請求項９】
少なくとも１つの加熱要素（８０）が、少なくとも１つのガス（ＯＧ）過熱システム（４０）のものに実質的に類似の全般的形状を有することを特徴とする、
請求項１〜８のいずれか１項に記載のスタック。
【請求項１０】
前記本体（４１）を切削して前記第１のガス循環流路（Ｃ１）および前記第２のガス循環流路（Ｃ２）を形成するステップを含むことを特徴とする、
請求項１〜９のいずれか１項に記載の少なくとも１つのＳＯＥＣ／ＳＯＦＣスタック（２０）入口ガス（ＯＧ）過熱システム（４０）を製造するためのプロセス。
【請求項１１】
レーザー透過溶接プロセスによって第１の閉じ板（４５）および第２の閉じ板（４６）を前記本体（４１）の両側に取り付けて、それぞれ前記本体（４１）の前記第１のゾーン（Ｚ１）および前記第２のゾーン（Ｚ２）に蓋をするステップを含むことを特徴とする、
請求項１０に記載のプロセス。
【国際調査報告】
2020515710.tif 000014
2020515710.tif 000015
2020515710.tif 000016
2020515710.tif 000017
2020515710.tif 000018
2020515710.tif 000019